(57)【要約】【課題】本発明は、呼吸用ヘルットに関する。【解決手段】ヘルメットは、使用者の頭部を保護するように設計されている。ヘルメットはまた、使用者の顔を保護するように設計された面バイザーと、空気取入れ系統、及び並列楕円レールシステムを有する。面バイザーは、使用者の顔の正面及びヘルメット上のいずれかの位置との間において、維持することができる。使用者の顔の正面に位置するときの面バイザーと、使用者の顔との間の領域は、呼吸ゾーンと呼ばれる。面バイザーは、少なくとも２個のホイールと、頂上側及び底面側を有し、それらの底面側が、面バイザーの顔対向位置において、使用者の顎に近接する。空気取入れ系統は、呼吸用ガス供給システム又は外気から呼吸用ガスをヘルメット中に取り入れるための取入れユニットを有し、この取入れユニットは、呼吸用ガスを呼吸ゾーンに向かわせる。並列楕円レールシステムは、面バイザーが、楕円運動することを許容する。各レールは、バイザーにおける少なくとも１個のホイールを受け入れ、かつそのレールへの異物粒子の蓄積を減少させるように設計されている。【選択図】図１
2005502395.tif 000002
【特許請求の範囲】
【請求項１】
使用者の頭部を保護するように設計されたヘルメットと、
使用者の顔を保護するように設計された面バイザーであって、前記面バイザーが、前記ヘルメット上において使用者の顔の正面に位置することができ、前記使用者の顔の正面に位置するときの前記面バイザーと、前記顔との間の領域をもって呼吸ゾーンとし、前記面バイザーが、少なくとも２個のホイール、及び頂上側と底部側とを有し、前記底部側を前記面バイザーが使用者の顔の正面に位置するときにおいて、使用者の顎に近接して位置させるようにしてなるものと、
前記ヘルメット中に呼吸用ガス供給系統又は外気から呼吸用ガスをヘルメット中に受け入れるための取入れユニットを有する空気取入れ系統であって、前記取入れユニットが、前記呼吸ゾーンに向かって呼吸用ガス媒体を導くようにしたものと、
前記面バイザーが、楕円運動できるようにするために、前記ヘルメット上に設置された平行楕円レールシステムであって、各レールが、面バイザーの少なくとも１個のホイールを支受し、かつレール上に微粒子が蓄積しないように設計されたものと、を備えたことを特徴とする呼吸用ヘルメット。
【請求項２】
前記面バイザーの頂上側を包囲することにより、前記レールとヘルメットの双方を清浄に保つための清浄化ユニットを備えてたことを特徴とする請求項１に記載の呼吸用ヘルメット。
【請求項３】
前記ヘルメットが、使用者の両耳を覆わないようにしたことを特徴とする請求項１に記載の呼吸用ヘルメット。
【請求項４】
前記ヘルメットが、使用者の両耳を覆うようにしたことを特徴とする請求項１に記載の呼吸用ヘルメット。
【請求項５】
前記取入れユニットと呼吸ゾーンとの間に導管を配置したことを特徴とする請求項１に記載の呼吸用ヘルメット。
【請求項６】
前記導管が、使用者に対する危険及び衝撃が与えられる機会を少なくする物質からなることを特徴とする請求項５に記載の呼吸用ヘルメット。
【請求項７】
前記使用者に対する危険及び衝撃の機会を少なくする物質が、発泡ポリエチレンを含むことを特徴とする請求項６に記載の呼吸用ヘルメット。
【請求項８】
各レールが、リップ及びホイールレールを有するものであることを特徴とする請求項１に記載の呼吸用ヘルメット。
【請求項９】
前記ホイールレールが、レール上のへの微粒子の蓄積を少なくするための棚部を有するものであることを特徴とする請求項８に記載の呼吸用ヘルメット。
【請求項１０】
前記ホイールが、前記ホイールレールに接触する少なくとも一つの接触面を有することを特徴とする請求項８に記載の呼吸用ヘルメット。
【請求項１１】
前記接触面が、その面内において、少なくとも一条のグルーブを有することを特徴とする請求項１０に記載の呼吸用ヘルメット。
【請求項１２】
前記リップが、ヘルメットから離れるひだとして形成されたものであることを特徴とする請求項８に記載の呼吸用ヘルメット。
【請求項１３】
前記リップが、直線状であることを特徴とする請求項８に記載の呼吸用ヘルメット。
【請求項１４】
面バイザーの底部側にアダプターユニットを取り付け、前記面バイザーが、使用者の顔の正面に位置したときの呼吸ゾーン内へ、及び前記面バイザーが、完全にヘルメット上に位置したときにおけるヘルメット上にそれぞれ蓄積する微粒子を減少させるようにしたことを特徴とする請求項１に記載の呼吸用ヘルメット。
【請求項１５】
１組のＬＥＤを第３のシステムに電気接続することにより、この第３のシステムを監視し、この場合において、これらのＬＥＤを使用者が面バイザーを通して視認することができるヘルメット上の位置に設置したことを特徴とする請求項１に記載の呼吸用ヘルメット。
【請求項１６】
前記面バイザー上に第２の面バイザーを位置させたことを特徴とする請求項１に記載の呼吸用ヘルメット。
【請求項１７】
前記第２面バイザーが、少なくとも２個のホイールを有し、かつ少なくとも１個のホイールが、前記楕円形平行レールの対応するレール上において、前記第２バイザーから移動できるようにしたことを特徴とする請求項１６に記載の呼吸用ヘルメット。
【請求項１８】
１組のＬＥＤを第３のシステムに電気接続することにより、この第３のシステムを監視し、この場合において、これらのＬＥＤを使用者が前記第２面バイザーを通して視認することができるヘルメット上の位置に設置したことを特徴とする請求項１６に記載の呼吸用ヘルメット。
【請求項１９】
前記呼吸用ガス供給系統が、自己充填型呼吸装置であることを特徴とする請求項１に記載の呼吸用ヘルメット。
【請求項２０】
前記呼吸用ガス系統として外気を利用することを特徴とする請求項１に記載の呼吸用ヘルメット。
【請求項２１】
前記空気取入れ系統内にファンを有することを特徴とする請求項１に記載の呼吸用ヘルメット。
【請求項２２】
前記ヘルメット及び前記面バイザーが、障害物、及び火炎によって発生する熱から、厳寒条件までの大幅な変動範囲による衝撃に耐えるように設計されたものであることを特徴とする請求項１に記載の呼吸用ヘルメット。
【請求項２３】
前記第３システムが、ＰＡＳＳユニット、自己充填型呼吸装置、ヒートセンサ、及びそれらの組み合わせからなるグループより選ばれたものであることを特徴とする請求項１８に記載の呼吸用ヘルメット。
【請求項２４】
前記第３システムが、ＰＡＳＳユニット、自己充填型呼吸装置、ヒートセンサ、及びそれらの組み合わせからなるグループより選ばれたものであることを特徴とする請求項１５に記載の呼吸用ヘルメット。
【請求項２５】
１組のＬＥＤが、前記呼吸ゾーンに導かれた呼吸用のガス量を測定するユニットに電気接続され、かつそれらのＬＥＤが、面バイザーを通して使用者から視認されるようなヘルメット上の位置に設置されたものであることを特徴とする請求項１に記載の呼吸用ヘルメット。
【請求項２６】
１組のＬＥＤが、前記呼吸ゾーンに導かれた呼吸用のガス量を測定するユニットに電気接続され、かつそれらのＬＥＤが、面バイザーを通して使用者から視認されるようなヘルメット上の位置に設置されたものであることを特徴とする請求項１６に記載の呼吸用ヘルメット。
【請求項２７】
前記呼吸用ガスとして空気を用いることを特徴とする請求項１に記載の呼吸用ヘルメット。
【請求項２８】
（Ａ）使用者の頭部を保護するように設計されたヘルメットと、（Ｂ）使用者の顔を保護するように設計された面バイザーであって、前記面バイザーが、前記ヘルメット上において使用者の顔の正面に位置することができ、前記使用者の顔の正面に位置するときの前記面バイザーと、前記顔との間の領域をもって呼吸ゾーンとし、前記面バイザーが、少なくとも２個のホイール、及び頂上側と底部側とを有し、前記底部側を前記面バイザーが使用者の顔の正面に位置するときにおいて、使用者の顎に近接して位置させるようにしてなるものと、（Ｃ）前記ヘルメット中に呼吸用ガス供給系統又は外気から呼吸用ガスをヘルメット中に受け入れるための取入れユニットを有する空気取入れ系統であって、前記取入れユニットが、前記呼吸ゾーンに向かって呼吸用ガス媒体を導くようにしたものと、（Ｄ）前記面バイザーが、楕円運動できるようにするために、前記ヘルメット上に設置された平行楕円レールシステムであって、各レールが、面バイザーの少なくとも１個のホイールを支受し、かつレール上に微粒子が蓄積しないように設計されたものと、を有する呼吸用ヘルメットを利用者の頭部に装着するとともに、
前記面バイザーを所望の位置に配置することからなる呼吸用ヘルメットの使用方法。
【請求項２９】
前記ヘルメットが、使用者をして呼吸用ガスが、呼吸ゾーンに供給されていることを監視できるように配置された複数のＬＥＤを有することを特徴とする請求項２８に記載の方法。
【請求項３０】
前記ヘルメットが、使用者をして第３のシステムの作動を監視できるように配置された複数のＬＥＤを有することを特徴とする請求項２９に記載の方法。
【請求項３１】
前記呼吸用ヘルメットがさらに、不所望の粒子物質による前記呼吸領域が汚染されることを防止する異物粒子防御物質を装着したものであることを特徴とする請求項１に記載の呼吸用ヘルメット。
【請求項３２】
使用者の頭部を保護するように設計されたヘルメットと
使用者の顔を保護するように設計された面バイザーであって、前記面バイザーが、前記ヘルメット上において使用者の顔の正面に位置することができ、前記使用者の顔の正面に位置するときの前記面バイザーと、前記顔との間の領域をもって呼吸ゾーンとし、前記面バイザーが、少なくとも２個のホイール、及び頂上側と底部側とを有し、前記底部側を前記面バイザーが使用者の顔の正面に位置するときにおいて、使用者の顎に近接して位置させるようにしてなるものと、
前記ヘルメット中に呼吸用ガス供給系統又は外気から呼吸用ガスをヘルメット中に受け入れるための取入れユニットを有する空気取入れ系統であって、前記取入れユニットが、前記呼吸ゾーンに向かって呼吸用ガス媒体を導くようにしたものと、
前記ヘルメットから突出して使用者の顎部を保護するように設計された、顎フレームであって、前記面バイザーが、使用者の顔の正面に位置したとき、前記底部側がその顎フレームと離脱可能にシール係合するようにしたものとを備えたことを特徴とする呼吸用ヘルメット。
【請求項３３】
前記呼吸用ヘルメットが、不所望の粒子物質による呼吸領域の汚染を防止する可撓性の粒子防御物質を前記ヘルメット及び顎フレームに装備し、かつ少なくとも使用者の頸部の一部分を覆うようにしたことを特徴とする請求項３２に記載のヘルメット。
【請求項３４】
前記粒子防御物質が、取外し可能に装着されたことを特徴とする請求項３３に記載のヘルメット。
【請求項３５】
前記顎フレームが、分離可能に取り付けられたことを特徴とする請求項３２に記載のヘルメット。
【発明の詳細な説明】
【技術分野】
【０００１】
この出願は、２００１年４月２３日出願の米国特許願第６０／２８５，８７６号に基づいて優先権を主張するものである。
【０００２】
本発明は、可動面バイザーを有する呼吸用ヘルメットに関するものである。
【背景技術】
【０００３】
従来より、多数の形式の呼吸用ヘルメットが存在する。多くの呼吸用ヘルメットは、頭部と呼吸用ヘルメットの内表面との間に内空間を有している。この空間内において、呼吸用ヘルメットは、十分な量の空気をそのヘルメットの使用者の鼻と口に向けて供給できるように設計されている。空気は、ヘルメットに装備された空気フィルタとファン、又は空気を適当なチューブ又はバイプを通じてヘルメット内に供給する離隔した空気供給システムのいずれかによって使用者の呼吸口に送られる。空気を使用者の呼吸口の付近に収容することは、標準的には、透明なフルフェースバイザーの適当な設計構造を通じて実現される。これらの呼吸用ヘルメットの例としては、いずれもレーカル  リミテッド又はその系列会社に譲渡された米国特許第４，５９０，９５１号、同第４，０９７，９２９号、４，１３６，６８８号において開示されている。
【０００４】
上記の’９２９号米国特許に開示された発明は、防護バイザーである。このバイザーは、弾性透明物質の弓形に撓められた矩形状シートを受け入れるように設計された開口を有する弓形湾曲フレームを備えている。可撓性シートは、上部及び下部フレームバーの内縁及び外縁上において、千鳥状に配列された開口中に突入したラグによりフレーム内に維持され、透明シートの横断エッジがスナップ状に開閉されるうにしたフレーム両側バー内の開口側面を有している。シートは、透明なポリカーボネート材料からなり、フレームは、透明または不透明なポリカーボネートからなっている。好ましくは、フレームは、その上隅部において防護用ヘルメットに取り付けるためのヒンジ部材を備えている。
【０００５】
しかしながら、上記’９２９号米国特許に開示されたヘルメットは、防塵性において不十分である。その理由は、上記’６８８号米国特許として結実した別のレーカル出願において指摘されている。特に、そのレーカル出願では、ヘルメット内に剛毛を植設することにより、その問題を解決するように示唆している。
【０００６】
上記’９２９号及び’６８８号米国特許の各々に開示されたヘルメットにおいては、外面と内面を有するハードヘルメットと、使用者の両耳の直上点のみで回転する面バイザーと、使用者の頭部とヘルメットの内面との間に形成される空間と、ヘルメットの後部において空気チューブを受け入れるための開口を備えている。この空間は、空気チューブからの空気が、ヘルメットを通過する場所である。空気は、この空間内へファンにより押し込まれる。ファンは開口に近接し、ヘルメット内面において、第２の内壁より使用者の頭部から分離するように配置されている。空気は、ヘルメット内に入り、バイザーと使用者の口との間の領域内に押し込まれる。
【０００７】
レーカルは、長年月がすぎてから、’９５１号米国特許として結実した別の出願を行った。この’９５１号米国特許は、呼吸用ヘルメットの種々の具体例を開示している。頸部又はその近傍において、ヘルメット中に入る空気ホースを用いる代わりに、使用者の口付近からヘルメット中に入る空気チューブを用いることもその一例である。このようなレーカル製品は、呼吸用ヘルメットの選択例として実施され、使用者頭部の移動性や貧弱な枢軸点に基づくシールドを通じた汚染浸入などの種々の問題点を矯正している。
【特許文献１】
米国特許第４，５９０，９５１号明細書
【特許文献２】
米国特許第４，０９７，９２９号明細書
【特許文献３】
米国特許第４，１３６，６８８号明細書
【発明の開示】
【０００８】
本発明は、呼吸用ヘルメットに関するものである。このヘルメットは、使用者の頭部を保護するように設計されている。ヘルメットはまた、使用者の顔を保護するように設計された面バイザーと、空気取入れ系統、及び並列楕円レールシステムを有する。面バイザーは、ヘルメット上において使用者の顔の正面と、ヘルメット上の位置との間の如何なる角度にも位置し得る。使用者の顔の正面に位置するときのバイザーと顔との間の領域は、呼吸ゾーンと呼ばれる。面バイザーは、少なくとも２個のホイールを有し、かつその面バイザーが、使用者の顔の正面に位置する時、使用者の顎部に近接して位置する底部と上端部とを備えている。空気取入れ系統は、呼吸用ガス供給系統又は外気から呼吸用ガスをヘルメット中に受け入れるための取入れユニットを有し、その取入れユニットが呼吸用ガスを呼吸ゾーンに送り込むようになっている。並列楕円レールシステムは、バイザーが、楕円運動するために配置されている。各レールは、面バイザーに装備された少なくとも１個のホイールを支受し、かつレール上に異物粒子が蓄積しにくいように設計されている。
【発明を実施するための最良の形態】
【０００９】
図１は、第１面バイザーアセンブリ１１と、第２面バイザーアセンブリ１１０を含む呼吸用ヘルメット１０を分解して示すものである。第１面バイザーアセンブリ１１は、好ましくは、弾性プラスチック物質からなるホイール８８により取り付けられたフレーム部材１２を備えており、このフレーム部材は、ヘルメット１０の外面８９上の並列楕円レール１３に取り付けられている。各レール１３は、（１）レール及びホイール上に蓄積される汚染を除去するために、（２）また、レール１３上での接触面が小さくなるようなプロフィール（断面）を形成している。
【００１０】
図３ａ、３ｂ及び３ｃを参照すると、これらの図は、レール１３の一部分内におけるホイール８８の断面を示している。レール１３は、ヘルメット１０の外面の一部をなしている。凹部領域９０は、幅Ｗと高さＨを有し、それらはホイール８８が、レール１３内で回転できるようにするため、少なくともホイールの幅Ｄ及び高さＩに等しいか又はそれより大きく設計されている。さらに、凹部領域９０は、ホイール８８が、レール１３内で回転できるようにするため、ホイール８８の接地部位９２の幅Ｋより大きい幅Ｊを有する接触面９１を備えている。
【００１１】
場合によっては、幅Ｗ及びＤと、Ｊ及びＫ、並びに高さＨ及びＩを間隙ゼロの等寸にすることができる。このような間隙ゼロ構造は、ホイール８８が、弾性ポリマーなどのような物質から形成され、（１）面バイザー１１、１１０が、ヘルメット１０に関して移動するときのガタツキを最小にし、かつ（２）ホイール８８が、レール１３の範囲内で回転するときに、突発的に現れる障害物を乗り越えることができる場合に採用される。
【００１２】
ホイール８８が、所望の材質又は不所望の材質からなる場合、ホイールは、その接触面９２の形状による障害物を乗り越えることができる。図４ａ及び４ｂに示す通り、接触面９２は、図４ａのように一点に収斂する形状であるか、又は図４ｂのように、複数点で接触面に接するようにした少なくとも一条のグルーブ９７を有する形状とされる。どのような場合においても、ホイールは、レール１３上に実現する如何なる障害物をも乗り越え得るように設計されなければならない。
【００１３】
しかしながら、レール上の障害物は、予期されないものである。したがって、発明者は、そのような障害物の蓄積を阻止するようなレール断面を設計した。一実施例において、レール１３は、凹部領域９０の所定部分、好ましくは、凹部領域９０の上面９３にわたって突出したリップ９２を有する。このリップ９２は、図３ａ及び３ｂに示すように、外面８９に関して直線的な面であるか、又は図３ｃに示すように、外面８９に関してひだ形に広がった面とすることができる。如何なる場合においても、リップ９２は、直接的な汚染及び他の不所望の粒子が、レール１３上に蓄積することを防止するように設計されている。
【００１４】
レール断面は、凹部領域９０の底面９５に対応して種々に設計される。底面９５は、ホイール８８が、レール内で回転するように設計された接触面９１を有しなければならない。したがって、接触面９１は、好ましくは、外面８９及びヘルメット周の楕円に関して直交するか、又は直交に近い配置でなければならない。残余部９６は、図３ａに示すように、直線的であるか、又は図３ｂ及び３ｃに示すように、リップ９２から傾斜して分離するように設計されている。これらの設計は、レール１３内に汚染又は他の不所望の粒子が、集積することを阻止するものである。
【００１５】
ホイールは、第１面バイザー１１及び付加的な第２面バイザー１１０が、従来用いられていた枢軸点を使用せず、ヘルメットのまわりで回転できるようにするために、レール中に存在する。枢軸点がないため、ヘルメットは、使用者の快適性を高める用に、平衡維持される。さらに、面バイザー１１、１１０の開口は、枢軸点型バイザーに関するヘルメット重心からの外れを生じず、かつヘルメットは、図２ｆに示す独立した聴取用レシーバーや組付け型の聴取用レシーバー、その他の両耳保護ギヤを独立させるために、使用者の両耳を露出させることができる。各ホイール８８は、フレーム部材１２に固着される軸６０のまわりで回転する。フレーム部材１２は、所望の工業規格に適合する材質から形成される。さらに、第１面バイザー１１は、衝撃耐性、耐熱性などの所望の工業規格に適合するか、又はそれを上回るように構成される。
【００１６】
面バイザー１２の材質は、アタッチメント装置と同様、これも所望の衝撃耐性、耐熱性などにおいて、所望の工業規格に適合するか、又はそれを上回るものである。このような材質としては、ポリエチレンを含む重合体物質があるが、特に、これらに制限されるものではない。
【００１７】
フレーム部材１２には、下部アダプターユニット１５及び上部アダプターユニット１７が取り付けられる。各ユニット、１５、１７は、汚染物や他の粒子物質が、第１面バイザー１１と使用者の顔との間の領域（以下、“呼吸ゾーン”と称する）、又はヘルメットとの間の領域に流入すること防止するように設計されている。各ユニット１５、１７は、フレーム部材１２に接続されるとともに、その接続部の反対側に連結される。各ユニットは、複数のブリストル又はゴム化面７０を備えている。この面７０は、ユニット１５、１７の部分が、ヘルメット１０の上に重なるとき、外面８９と接触するように設計されている。さらに、各ユニット１５、１７は、ブリストル（ゴム化面）７０によってレール１３を正常にし、場合によっては、ユニット１５、１７が、通過するヘルメット１０の外面８９をも正常化し、さらには、レール１３に粒子物が付着しないようにするものである。ブリストル又はゴム化面７０はさらに、顎フレーム１５２（これについては、後に詳述する）とともに、解放可能なシールを形成し、不所望の粒子物質が、呼吸ゾーンに入り込まないように設計される。
【００１８】
選択的に、第２の面バイザーアセンブリ１１０は、環境（寒冷又は火炎に基づく高熱））、又は多少とも接触する粒子物質に対して耐性を発揮する重合体物質２１を含むフレーム２０を有する。一実施例において、フレーム２０は、図１に示すように、単一ユニットであり、それは重合体物質２１を含んでいる。別の実施例において、フレーム２０は、図２ａ〜ｄに示すように、跳ね上げ部２３及びローラ部２５の二部分に分割される。跳ね上げ部２３は、重合体物質２１を含み、図２ｂ及びｃに示すように、係合位置を占めること、あるいは、図２ａ及びｄに示すように、解放位置に占めることができるようになっている。別の実施例において、フレーム２０は、図２ｃに示すような持上げ位置から移動して、図２ａ、ｂ及びｄに示すような持上げ位置にもたらされる。
【００１９】
フレーム２０は、そのフレーム２０に固着された軸６０を有する１組のホイール８８により、レール１３に沿って移動する。このシステムは、ホイールが、第１の面バイザーアセンブリを移動させる方法においても採用される。
【００２０】
実施例に従って、ヘルメット１０又は使用者に装着された要素は、ヘルメット１０内に入り、呼吸ゾーン１９９（図２ｃに示すように、使用者の顔と面バイザー１１との間の領域）に誘導される空気量を測定する常套的な監視装置１３０を有する、送風エアに代えて、圧縮空気が用いられるとき、この装置は、その空気量が呼吸用ヘルメットを着用している使用者にとって十分であるか、否かを警告する。使用者に、彼が呼吸用ヘルメットを着用し続けるに十分な空気量であるか否かの告知することを助けるため、ヘルメットは、図５に示すような少なくとも１組のＬＥＤ１３２を装備してその空気流量を指示することができる。これらのＬＥＤは、使用者によって第１面バイザーアセンブリ、又は第２面バイザーアセンブリの両側又は正面から看守できるようになっている。これらのＬＥＤは、ヘルメット上又はヘルメット内に配置され、好ましくは、使用者が、別に装着した要素としての発信器から電気信号を受信する。
【００２１】
呼吸ゾーンに供給された呼吸用空気は、エアチューブ２８からヘルメット１０内に流入する。エアチューブ２８は、例えば、常套的なシリンダバンク、遠隔ブロワ、遠隔コンビュータ、並びに、遠隔のコンプレッサやフィルタ、モータ、フィルタカートリッジ、及びそれらの組み合わせを含む常套的な空気供給浄化装置であって、常套的な気流フィルタアセンブリの流量制御器（アメリカ合衆国、ニューヨーク州  ランカスター、モンロー、及びノースカロライナ州のスコット  テクノロジー  コーポレーテッドより製造販売されている）によって中継され、もしくは、外気から選択的に供給される空気を用いるようにしたものである。ヘルメット１０は、開口３２を有し、その開口内においてエアチューブ２８又は外気を直接受け入れる。しかしながら、エアチューブ２８は、使用者の動作を最大に許容するための特別の接続ユニットを有しなければならない。特に、好ましい接続は、球面状凸部３５を有するエアホース２８であり、開口３２は、それに対応する球面状凹部３４を有する。好ましくは、各要素３５、３４は、極小の摩擦とするために、重合体物質を用いるべきである。これにより、ホース２８及びヘルメット１０は、従来型の設計に比して、互いに独立して大きく、かつ容易に回転動作することができる。
【００２２】
球状受部３４は、３７で示すような接線軌道上を回転するラッチを有する。これにより凸部３５は、容易に分離できる。
【００２３】
ヘルメット１０はまた、少なくとも一つ、好ましくは、複数のチャンネル４０を有し、分離可能な球状受部３４からの空気を呼吸ゾーンに導くものである。チャンネル４０は、好ましくは、ポリチレン発泡体からなる重合体導管である。このチャンネルは、ホースドックによってエアホースに導かれた一端と、ヘルメット１０の正面部におけるプラットフォーム状の他端とを有する。チャンネル４０は、それに接して接着剤や所望に応じて用いられる他の取付手段なしに、それを空気中に保持するに十分な長さを有する。チャンネル４０が、永久固定式でなければ、それは所望に応じて容易に洗浄することができる。
【００２４】
チャンネルはまた、使用者の頭蓋骨（頭部）を補助的に防護するショック吸収物質として作用する。チャンネル４０はさらに、外気を遮断し、これによって、所望に応じて冷気を外気に変換することができる。チャンネル４０は、同じ過程により、ヘルメット中の熱気又は多湿空気を外気中に放出するための気流を発生することができる。チャンネル４０はさらに、電子回路であって、ヘルメット内で損傷しないように絶縁された回路を提供する。
【００２５】
装置１０はさらに、図５に示すように、ある種の回路を伴う小型ブロワモータ１３０ｂ、及び少なくとも１個、もしくは１組のＬＥＤへの回線を有する。モータは、球状受部（３４）内に設置されるとともに、小型発電機としても、基本的に作用する。気流は、モータを回転させて電流を発生させ、これを回路中のキャパシタに充填して利用可能とする。気流が何らかの理由で減少したとすれば、モータからの電流が少なくなり、キャパシタは、ＬＥＤ発光回路を通じて放電する。ＬＥＤ回路からのワイヤは、発泡体空間チャンネルを通じて配線され、かつ保護される。ＬＥＤはＰＡＳＳユニット、自己終了型呼吸装置、熱センサ、及びそれらの組み合わせなどのような他の装置１３４に接続されることができる。
【００２６】
ブロワモータはさらに、外気をヘルメット中に導入することができる。外気が用いられる場合、図６に示すように、その外気は、フィルタシステム１３７を通じて、開口３２に導入され、さらに、チャンネル４０に入って呼吸ゾーンに導かれる。このシステムに用いられるフィルタは、通常型のフィルタであり、当業者が、容易に利用できるものである。
【００２７】
さらに、呼吸用ヘルメット１０は、図７ａ〜ｆに示すように、フード又はシールド１５０、及び顎フレーム１５２とフィット装着することができる。これらのフード及びシールドは、ルーズフィット（緩装着）又はタイトフィット（堅装着）のいずれの形式でもよく、それらの例は、図７ａ〜ｆに示す通りである。シールド１５０が用いられる場合、ヘルメット１０は、顎フレーム１５２を必要とする。顎フレーム１５２は、ヘルメット１０に接触する半剛性物質に対して実質的な剛体であると言える。特に、顎フレーム１５２は、図７を通じて示すように、ヘルメット１０における使用者の耳の上背部に連結される。顎フレーム１５２とヘルメット１０の連結は、図７ｆに示すように、永久固定又は選択的に分離可能となっている。どちらの場合においても、ヘルメット１０と顎フレーム１５２は、通常の技術において、連結されていることを意味する。このような技術の幾つかの例としては、それらに限定されるものではないが、超音波溶接、リベット、打ち込み（インデントフィット）はめ込みスナップ、ナット及びボルトの組み合わせ、フック及びループシステムなどがある。顎フレーム１５２をヘルメット１０に連結する方法に従って、顎フレーム１５２は、図８に示すように、開口１５４、溶接プレーン１５６、又はそれらの双方を有することができる。
【００２８】
さらに、顎フレーム１５２は、その上に位置する第２の開口１５８を有することができる。この開口１５８は、呼吸ゾーンに入る呼吸用ガスを逃がすための空気抜きとなるものである。
【００２９】
顎フレーム１５２及びヘルメット１０の下部には、フード／シールドユニット１５０が取り付けられる。ユニット１５０は、使用者の頸部を集中的に保護するものである。ユニット１５０、頸部において集合し、その頸部重合体と頸部との間のガスを発散させるか、又はゴム、引張ばね、又は弾性体バンド、あるいはそれらの組み合わせにおいて頸部に密封的に装着される。頸部に対して、密封装着される場合、ヘルメット１０内又はヘルメット１０の空気供給系統において、発散用又はリリーフ用の弁が取り付けられ、これによって、ガス体を外気中に発散できるようになっている。ユニット１５０は、図７を通じて示すように、首及び胸郭プロテクター、首プテクター、胸郭プロテクター、及びアームプロテクターとして利用され得る。いずれの場合についても、ユニット１５０は、使用者がさらされる積極的な危険から彼を防護するための物質からなっている。例えば、ユニット１５０は、メッシュ状耐火物質、耐熱物質、防寒物質、化学耐性を有する物質、生物耐性を有する物質、放射線耐性を有する物質、又はそれらの組み合わせからなることができる。
【００３０】
顎フレーム１５２及び面バイザーフレーム１２は、互いに密封接触するための手段を有する。特に、プロピレン又はシリコン物質は、この解放可能な密封フィット性を提供すべく用いられる。顎フレームの底部には、可撓性衝壁材料１５０が適用される。
【００３１】
これら種々の実施例は、本発明のヘルメット１０の異なった使用及び適用形態において示される。ヘルメットは、妨火及び消防産業、及び化学工業、溶接工業、及びこのような呼吸用ヘルメットを必要とするその他の関連産業において用いられる。換言すれば、本発明のヘルメットは、種々の応用分野および産業において採用されるものであり、相関連する特定の分野において、容易にかつ効率的に変形使用可能である。
【００３２】
さらに、面バイザー１１及び材料２１は、特定の応用分野における特定型の物質から形成されるものである。例えば、面バイザー物質１１、２１は、透明プラスチック又はガラス材料、あるいは、その組み合わせから形成される。さらに、面バイザー物質１１，２１は、メッシュ材を埋め込み、又は特定の紫外線、赤外線、又は自然光プロテクターとして用いることができる。例えば、金、又は金と他の物質を組み合わせることによって、これらの用途に役立てることができる。また、図７ｃに示す通り、面バイザー物質１１，２１は除去され、所望の面バイザー物質と置換することができる。
【００３３】
図７ｂに示す通り、ヘルメット１０は、その上にゴム化又は金属化カバー１６０を有することができる。この物質は、ヘルメット１０が用いられるべき分野に応じたものである。
【００３４】
以上の通り、本発明の好ましい実施例を図示し、かつ説明したが、添付の請求の範囲に規定した本発明の範囲から逸脱することなく、当業者の裁量する範囲で変形例を構成しうることが理解されるであろう。
【図面の簡単な説明】
【００３５】
【図１】本発明の実施例の分解図である。
【図２】本発明の種々の実施例（ａ〜ｆ）を示す図である。
【図３】レールシステム中のホイールの異なった実施例（Ａ〜Ｃ）を示す図である。
【図４】互いに異なったホイールの実施例（ａ、ｂ）を示す図である。
【図５】ＬＥＤワイヤシステムの電気回路図である。
【図６】本発明の別の実施例を示す図である。
【図７】本発明の選択的な実施例（ａ〜ｆ）を示す図である。
【図８】顎フレームを示す図である。
【国際公開パンフレット】
2005502395.tif 000003
2005502395.tif 000004
2005502395.tif 000005
2005502395.tif 000006
2005502395.tif 000007
2005502395.tif 000008
2005502395.tif 000009
2005502395.tif 000010
2005502395.tif 000011
2005502395.tif 000012
2005502395.tif 000013
2005502395.tif 000014
2005502395.tif 000015
2005502395.tif 000016
2005502395.tif 000017
2005502395.tif 000018
2005502395.tif 000019
2005502395.tif 000020
2005502395.tif 000021
2005502395.tif 000022
2005502395.tif 000023
2005502395.tif 000024
2005502395.tif 000025
【国際公開パンフレット（コレクトバージョン）】
2005502395.tif 000026
2005502395.tif 000027
2005502395.tif 000028
2005502395.tif 000029
2005502395.tif 000030
2005502395.tif 000031
2005502395.tif 000032
2005502395.tif 000033
2005502395.tif 000034
2005502395.tif 000035
2005502395.tif 000036
2005502395.tif 000037
2005502395.tif 000038
2005502395.tif 000039
2005502395.tif 000040
2005502395.tif 000041
2005502395.tif 000042
2005502395.tif 000043
2005502395.tif 000044
2005502395.tif 000045
2005502395.tif 000046
2005502395.tif 000047
2005502395.tif 000048
【国際公開パンフレット（コレクトバージョン）】
2005502395.tif 000049
2005502395.tif 000050
【国際調査報告】
2005502395.tif 000051
2005502395.tif 000052
2005502395.tif 000053